(57)【要約】【課題】避難場所までの経路を示した地図の更新を、簡便かつ低コストで行うことができ、これにより災害発生時にユーザを安全に避難させる。【解決手段】携帯端末２００と接続され、携帯端末２００とデータの送受信を行うための第１通信部１１０と、表示装置１００の特定地点から災害発生時の避難場所までの経路を示した地図のデータである地図データを携帯端末２００から取得する第１取得部１１２と、放送信号から警報信号を検出する検出部１０４と、検出部１０４が警報信号を検出した場合に、地図データが示す地図を画面に表示する表示制御部１０８とを備える。【選択図】図２
2014081730.tif 000002
【特許請求の範囲】
【請求項１】
携帯端末と接続され、前記携帯端末とデータの送受信を行うための通信部と、
表示装置の特定地点から災害発生時の避難場所までの経路を示した地図のデータである地図データを前記携帯端末から取得する取得部と、
放送信号から警報信号を検出する検出部と、
前記検出部が前記警報信号を検出した場合に、取得した前記地図データが示す地図を画面に表示する表示制御部と
を備える表示装置。
【請求項２】
前記取得部は、前記携帯端末から前記地図データを取得し、取得した前記地図データと記憶部に記憶されている前記地図データとが異なる場合に、取得した前記地図データで前記記憶部に記憶されている前記地図データを上書きし、
前記表示制御部は、前記検出部が前記警報信号を検出した場合に、前記記憶部に記憶されている前記地図データが示す地図を前記画面に表示する
請求項１記載の表示装置。
【請求項３】
前記取得部は、前記携帯端末から前記地図データを取得し、取得した前記地図データと記憶部に記憶されている前記地図データとを比較することにより前記地図データが更新されているか否かを判断し、前記地図データが更新されている場合には、更新前後の２枚の前記地図データを前記記憶部に記憶させ、
前記表示制御部は、前記検出部が前記警報信号を検出した場合に、前記記憶部に記憶されている更新後の前記地図データが示す地図を、地図上で更新された箇所を強調させた上で前記画面に表示する
請求項１記載の表示装置。
【請求項４】
前記表示制御部は、前記地図データが更新されてから所定期間経過するまでの間、前記検出部が前記警報信号を検出した場合に、前記記憶部に記憶されている更新後の前記地図データが示す地図を、地図上で更新された箇所を強調させた上で前記画面に表示する
請求項３記載の表示装置。
【請求項５】
前記警報信号は、災害の種類毎に異なる警報信号を含み、
前記記憶部は、災害の種類毎に前記地図データを記憶しており、
前記表示制御部は、前記検出部が前記警報信号を検出した場合に、検出した前記警報信号が示す災害の種類に対応した前記地図データを前記記憶部から読み出し、読み出した前記地図データが示す地図を前記画面に表示する
請求項２〜４のいずれか１項に記載の表示装置。
【請求項６】
前記取得部は、前記通信部に前記携帯端末が接続された場合に、前記地図データを前記携帯端末から取得する
請求項１〜５のいずれか１項に記載の表示装置。
【請求項７】
災害発生時に避難場所までの地図を表示する表示装置と接続される携帯端末であって、
前記表示装置と接続され、前記表示装置とデータの送受信を行うための通信部と、
前記携帯端末の特定地点を取得する特定地点取得部と、
前記特定地点取得部が取得した前記携帯端末の特定地点を、前記表示装置の特定地点として地図サーバに通知し、前記表示装置の特定地点から前記避難場所までの経路を示した前記地図データを、前記地図サーバから取得する取得部と、
前記表示装置から前記表示装置が記憶している地図データを取得し、前記表示装置から取得した前記地図データと前記取得部が取得した前記地図データとを比較することにより、前記地図データが更新されているか否かを判定する更新判定部と、
前記更新判定部が前記地図データが更新されていると判定した場合に、前記取得部が取得した前記地図データを、前記通信部を介して前記表示装置に送信する送信部と
を備える携帯端末。
【請求項８】
表示装置と、
前記表示装置に接続可能な携帯端末とを備え、
前記表示装置は、
前記携帯端末と接続され、前記携帯端末とデータの送受信を行うための第１通信部と、
前記表示装置の特定地点から災害発生時の避難場所までの経路を示した地図のデータである地図データを前記携帯端末から取得する第１取得部と、
放送信号から警報信号を検出する検出部と、
前記検出部が前記警報信号を検出した場合に、取得した前記地図データが示す地図を画面に表示する表示制御部とを備え、
前記携帯端末は、
前記表示装置と接続され、前記表示装置とデータの送受信を行うための第２通信部と、
前記携帯端末の特定地点を取得する特定地点取得部と、
前記特定地点取得部が取得した前記携帯端末の特定地点を、前記表示装置の特定地点として地図サーバに通知し、前記表示装置の特定地点から前記避難場所までの経路を示した前記地図データを、前記地図サーバから取得する第２取得部と、
前記第２取得部が取得した前記地図データを、前記第２通信部を介して前記表示装置に送信する送信部と
を備える表示システム。
【請求項９】
表示装置と、前記表示装置に接続可能な携帯端末とを備える表示システムによる災害発生時の地図表示方法であって、
前記地図表示方法は、
前記携帯端末が、前記携帯端末の特定地点を取得し、
前記携帯端末が、取得した前記携帯端末の特定地点を、前記表示装置の特定地点として地図サーバに通知し、前記表示装置の特定地点から災害発生時の避難場所までの経路を示した地図データを、前記地図サーバから取得し、
前記携帯端末が、前記地図サーバから取得した前記地図データを前記表示装置に送信し、
前記表示装置が、前記携帯端末から送信された前記地図データを受信し、
前記表示装置が、放送信号から警報信号を検出し、
前記表示装置が、前記警報信号を検出した場合に、受信した前記地図データが示す地図を画面に表示する
地図表示方法。
【発明の詳細な説明】
【技術分野】
【０００１】
本発明は、表示装置に関し、特に、緊急警報信号などの警報信号の受信時に避難場所までの地図を表示する表示装置に関する。
【背景技術】
【０００２】
地震や津波などの災害発生時に放送局が放送する緊急警報放送が知られている。緊急警報放送の放送信号には緊急警報信号が含まれており、緊急警報信号を受信したスタンバイ状態にあるテレビは、スイッチを自動的にオンし、緊急警報放送番組を表示する。
【０００３】
従来、緊急警報信号受信時に、緊急警報放送番組と共に、地震に対する対処方法および避難経路を画面に表示する情報出力装置が提案されている（例えば、特許文献１参照）。
【先行技術文献】
【特許文献】
【０００４】
【特許文献１】特開２００９−２７２６８８号公報
【発明の概要】
【発明が解決しようとする課題】
【０００５】
しかしながら、特許文献１に記載の情報出力装置では、地震に対する対処方法および避難経路がＢｌｕ−ｒａｙ  Ｄｉｓｃ（登録商標）などの光情報記録媒体に記録されており、緊急警報信号受信時には、光情報記録媒体から対処方法および避難経路に関する情報を読み出している。このため、避難場所が変更されたり、引越しなどにより情報出力装置の設置場所が変更されたりした場合には、古い避難経路が画面に表示されるため、ユーザは安全に避難することができない。
【０００６】
これら変更に対して、ユーザは光情報記録媒体の入れ替えを行わなければならず、入れ替えの手間およびコストを要するという課題がある。
【０００７】
本発明は、上述の課題を解決するためになされたものであり、避難場所までの経路を示した地図の更新を、簡便かつ低コストで行うことができ、これにより災害発生時にユーザを安全に避難させることのできる表示装置、携帯端末、表示システムおよび地図表示方法を提供することを目的とする。
【課題を解決するための手段】
【０００８】
上記目的を達成するために、本発明の一態様に係る表示装置は、携帯端末と接続され、前記携帯端末とデータの送受信を行うための通信部と、表示装置の特定地点から災害発生時の避難場所までの経路を示した地図のデータである地図データを前記携帯端末から取得する取得部と、放送信号から警報信号を検出する検出部と、前記検出部が前記警報信号を検出した場合に、取得した前記地図データが示す地図を画面に表示する表示制御部とを備える。
【０００９】
この構成によると、表示装置は、携帯端末から地図データを取得することができる。ユーザは、携帯端末の充電や携帯端末に記憶されているコンテンツを表示装置の画面に表示するために、普段から、携帯端末と表示装置とを接続することが多い。このため、ユーザが地図データの取得を意識して携帯端末を表示装置に接続しなくとも、表示装置は自動的に最新の地図データを取得することができる。また、警報信号が検出された場合に、表示制御部が、第１取得部が取得した地図データが示す地図を画面に表示する。このため、古い避難場所が画面に表示されることはない。よって、避難場所までの経路を示した地図の更新を、簡便かつ低コストで行うことができ、これにより災害発生時にユーザを安全に避難させることができる。
【００１０】
例えば、前記取得部は、前記携帯端末から前記地図データを取得し、取得した前記地図データと記憶部に記憶されている前記地図データとが異なる場合に、取得した前記地図データで前記記憶部に記憶されている前記地図データを上書きし、前記表示制御部は、前記検出部が前記警報信号を検出した場合に、前記記憶部に記憶されている前記地図データが示す地図を前記画面に表示しても良い。
【００１１】
この構成によると、地図データが更新されている場合に、更新後の地図データである最新の地図データのみを記憶部に記憶することができる。よって、警報信号を受信した際に、常に最新の地図データを表示することができる。また、記憶容量の小さな記憶部であっても地図データを記憶することができる。
【００１２】
また、前記取得部は、前記携帯端末から前記地図データを取得し、取得した前記地図データと記憶部に記憶されている前記地図データとを比較することにより前記地図データが更新されているか否かを判断し、前記地図データが更新されている場合には、更新前後の２枚の前記地図データを前記記憶部に記憶させ、前記表示制御部は、前記検出部が前記警報信号を検出した場合に、前記記憶部に記憶されている更新後の前記地図データが示す地図を、地図上で更新された箇所を強調させた上で前記画面に表示しても良い。
【００１３】
この構成によると、表示制御部は、地図データが更新された場合に、地図上で更新された箇所を強調して表示している。このため、ユーザに地図が更新されていることを気付かせることができ、ユーザが誤って前の避難場所に避難したりするのを防ぐことができる。これにより災害発生時にユーザを安全に避難させることができる。
【００１４】
また、前記表示制御部は、前記地図データが更新されてから所定期間経過するまでの間、前記検出部が前記警報信号を検出した場合に、前記記憶部に記憶されている更新後の前記地図データが示す地図を、地図上で更新された箇所を強調させた上で前記画面に表示しても良い。
【００１５】
特に、地図データが更新されてから所定期間経過するまでの間は、ユーザは、地図データが更新されていることに気付いていない場合が多い。このため、その間、表示制御部が、地図上で更新された箇所を強調して表示することによって、ユーザに地図が更新されていることを気付かせることができる。よって、ユーザが誤って前の避難場所に避難したりするのを防ぐことができ、これにより災害発生時にユーザを安全に避難させることができる。
【００１６】
また、前記警報信号は、災害の種類毎に異なる警報信号を含み、前記記憶部は、災害の種類毎に前記地図データを記憶しており、前記表示制御部は、前記検出部が前記警報信号を検出した場合に、検出した前記警報信号が示す災害の種類に対応した前記地図データを前記記憶部から読み出し、読み出した前記地図データが示す地図を前記画面に表示しても良い。
【００１７】
この構成によると、災害の種類が異なる場合には、異なる地図を画面に表示することができる。例えば、警報信号の一種である緊急警報信号には、地震に関する第１種緊急警報信号と、津波に関する第２種緊急警報信号とが存在する。このため、例えば、第１種緊急警報信号が検出された場合には、学校の体育館や公民館などの避難場所への経路を示した地図を表示し、第２種緊急警報信号が検出された場合には、ビルや山などの高い場所への経路を示した地図を表示することができる。よって、災害の種類に応じてユーザを適切な避難場所に安全に非難させることができる。
【００１８】
また、前記取得部は、前記通信部に前記携帯端末が接続された場合に、前記地図データを前記携帯端末から取得しても良い。
【００１９】
本発明の他の態様に係る携帯端末は、災害発生時に避難場所までの地図を表示する表示装置と接続される携帯端末であって、前記表示装置と接続され、前記表示装置とデータの送受信を行うための通信部と、前記携帯端末の特定地点を取得する特定地点取得部と、前記特定地点取得部が取得した前記携帯端末の特定地点を、前記表示装置の特定地点として地図サーバに通知し、前記表示装置の特定地点から前記避難場所までの経路を示した前記地図データを、前記地図サーバから取得する取得部と、前記表示装置から前記表示装置が記憶している地図データを取得し、前記表示装置から取得した前記地図データと前記取得部が取得した前記地図データとを比較することにより、前記地図データが更新されているか否かを判定する更新判定部と、前記更新判定部が前記地図データが更新されていると判定した場合に、前記取得部が取得した前記地図データを、前記通信部を介して前記表示装置に送信する送信部とを備える。
【００２０】
この構成によると、携帯端末が地図サーバから地図データを取得し、地図データが更新されている場合に表示装置に地図データを送信することができる。ユーザは、携帯端末の充電や携帯端末に記憶されているコンテンツを表示装置の画面に表示するために、普段から、携帯端末と表示装置とを接続することが多い。このため、ユーザが地図データの取得を意識して携帯端末を表示装置に接続しなくとも、携帯端末は自動的に最新の地図データを取得し、取得した地図データを表示装置に送信することができる。表示装置は、災害発生時に最新の地図データが示す地図を画面に表示することができる。つまり、古い避難場所が画面に表示されることはない。よって、避難場所までの経路を示した地図の更新を、簡便かつ低コストで行うことができ、これにより災害発生時にユーザを安全に避難させることができる。
【００２１】
本発明のさらに他の態様に係る表示システムは、表示装置と、前記表示装置に接続可能な携帯端末とを備え、前記表示装置は、前記携帯端末と接続され、前記携帯端末とデータの送受信を行うための第１通信部と、前記表示装置の特定地点から災害発生時の避難場所までの経路を示した地図のデータである地図データを前記携帯端末から取得する第１取得部と、放送信号から警報信号を検出する検出部と、前記検出部が前記警報信号を検出した場合に、取得した前記地図データが示す地図を画面に表示する表示制御部とを備え、前記携帯端末は、前記表示装置と接続され、前記表示装置とデータの送受信を行うための第２通信部と、前記携帯端末の特定地点を取得する特定地点取得部と、前記特定地点取得部が取得した前記携帯端末の特定地点を、前記表示装置の特定地点として地図サーバに通知し、前記表示装置の特定地点から前記避難場所までの経路を示した前記地図データを、前記地図サーバから取得する第２取得部と、前記第２取得部が取得した前記地図データを、前記第２通信部を介して前記表示装置に送信する送信部とを備える。
【００２２】
この構成によると、表示装置は、携帯端末から地図データを取得することができる。ユーザは、携帯端末の充電や携帯端末に記憶されているコンテンツを表示装置の画面に表示するために、普段から、携帯端末と表示装置とを接続することが多い。このため、ユーザが地図データの取得を意識して携帯端末を表示装置に接続しなくとも、表示装置は自動的に最新の地図データを取得することができる。また、警報信号が検出された場合に、表示制御部が、第１取得部が取得した地図データが示す地図を画面に表示する。このため、古い避難場所が画面に表示されることはない。よって、避難場所までの経路を示した地図の更新を、簡便かつ低コストで行うことができ、これにより災害発生時にユーザを安全に避難させることができる。
【００２３】
なお、本発明は、このような特徴的な処理部を備える表示装置として実現することができるだけでなく、表示装置と携帯端末とを備える表示システムに含まれる特徴的な処理部が実行する処理をステップとする地図表示方法として実現することができる。また、表示装置に含まれる特徴的な処理部としてコンピュータを機能させるためのプログラムまたは地図表示方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読み取り可能な非一時的な記録媒体やインターネット等の通信ネットワークを介して流通させることができるのは、言うまでもない。
【発明の効果】
【００２４】
本発明によると、避難場所までの経路を示した地図の更新を、簡便かつ低コストで行うことができ、これにより災害発生時にユーザを安全に避難させることができる。
【図面の簡単な説明】
【００２５】
【図１】本発明の実施の形態１に係る表示システムの外観図である。
【図２】表示装置および携帯端末の機能的な構成を示すブロック図である。
【図３】携帯端末が実行する処理のフローチャートである。
【図４】携帯端末の処理を模式的に示した説明図である。
【図５】地図データが示す地図の一例を示す図である。
【図６】表示装置が実行する処理のフローチャートである。
【図７】表示装置、携帯端末、地図サーバおよびＧＰＳ衛星の間でのデータの流れを示したシーケンス図である。
【図８】表示装置が実行する処理のフローチャートである。
【図９】緊急警報信号を受信した場合の画面表示例を示す図である。
【図１０】表示装置が実行する処理のフローチャートである。
【図１１】更新後の避難経路を示した地図の一例を示す図である。
【図１２】表示装置が実行する処理のフローチャートである。
【図１３】避難場所と避難経路を強調表示した更新後の地図の一例を示す図である。
【図１４】更新前の地図の一例を示す図である。
【図１５】更新後の地図の一例を示す図である。
【図１６】新しく建設された建物の位置と変更後の避難経路とを強調表示した更新後の地図の一例を示す図である。
【図１７】更新前の地図の一例を示す図である。
【図１８】更新後の地図の一例を示す図である。
【図１９】現在地、避難場所および避難経路を強調表示した更新後の地図の一例を示す図である。
【図２０】本発明の実施の形態３に係る表示システムの機能的な構成を示すブロック図である。
【図２１】携帯端末が実行する処理のフローチャートである。
【図２２】表示装置が実行する処理のフローチャートである。
【図２３】第１種緊急警報信号を受信した場合に表示される地図の一例を示す図である。
【図２４】第２種緊急警報信号を受信したが場合に表示される地図の一例を示す図である。
【発明を実施するための形態】
【００２６】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２７】
（実施の形態１）
以下、本発明の実施の形態１に係る表示システムについて説明する。
【００２８】
＜１．構成＞
図１は、本発明の実施の形態１に係る表示システムの外観図である。表示システム１０は、表示装置１００と、携帯端末２００とを備える。
【００２９】
表示装置１００は、放送信号を受像する装置であり、例えば、テレビなどにより構成される。表示装置１００は、放送局４００から放送される放送信号４０２を受像する。
【００３０】
携帯端末２００は、ユーザが携帯して使用する情報機器であり、例えば、スマートフォン、携帯電話機、タブレット端末などにより構成される。携帯端末２００は、ＧＰＳ（Ｇｌｏｂａｌ  Ｐｏｓｉｔｉｏｎｉｎｇ  Ｓｙｓｔｅｍ）衛星５００やインターネット３０２から現在地の情報を取得する。また、携帯端末２００は、インターネット３０２に接続され、地図サーバ３００から地図データを取得する。ここで取得する地図データは、携帯端末２００の現在地、つまり表示装置１００の設置場所である現在地から災害発生時の避難場所までの経路を示した地図のデータである。なお、携帯端末２００とインターネット３０２との接続は、一般的には無線通信により行われる。
【００３１】
以下の説明では、携帯端末２００が取得する位置情報は、現在地の情報であるとして説明を行うが、これに限定されるものではない。つまり、携帯端末２００が取得する位置情報は、携帯端末２００の特定地点の情報であっても良い。携帯端末２００の特定地点とは、携帯端末２００に関連付けられた位置のことである。例えば、携帯端末２００の特定地点は、携帯端末２００の現在地のみならず、携帯端末２００から所定範囲内にある所定の施設の位置であっても良いし、また、携帯端末２００を所持するユーザが予め登録した位置であっても良い。
【００３２】
これにより、携帯端末２００が地図サーバ３００から取得する地図データは、携帯端末２００の現在地である表示装置１００の現在地から避難場所までの経路を示すものには限定されない。つまり、表示装置１００の特定地点から避難場所までの経路を示した地図データであってもよい。表示装置１００の特定地点とは、携帯端末２００の特定地点と同じ位置である。
【００３３】
図２は、表示装置１００および携帯端末２００の機能的な構成を示すブロック図である。
【００３４】
表示装置１００は、受信部１０２と、検出部１０４と、記憶部１０６と、表示制御部１０８と、第１通信部１１０と、第１取得部１１２とを備える。
【００３５】
受信部１０２は、放送局４００から放送される放送信号４０２を受信する。
【００３６】
検出部１０４は、受信部１０２が受信した放送信号４０２から緊急警報信号を検出する。緊急警報信号とは、警報信号の一種であり、地震や津波などの災害発生時に放送局４００が放送する緊急警報放送の放送信号に含まれる信号である。緊急警報信号を受信したスタンバイ状態にある表示装置１００は、スイッチを自動的にオンし、緊急警報放送番組を表示する。以下では、警報信号の一例として、緊急警報放送に含まれる緊急警報信号について説明するが、警報信号は、緊急警報信号に限定されるものではなく、それ以外の放送に含まれる警報信号であっても良い。
【００３７】
記憶部１０６は、表示装置１００の設置場所である現在地から災害発生時の避難場所までの経路を示した地図のデータである地図データを記憶している。
【００３８】
表示制御部１０８は、検出部１０４が緊急警報信号を検出した場合に、記憶部１０６に記憶されている地図データが示す地図を画面に表示する。
【００３９】
第１通信部１１０は、携帯端末２００と接続され、携帯端末２００とデータの送受信を行う。第１通信部１１０は、例えば、ネットワークアダプタ等である。第１通信部１１０と携帯端末２００の後述する第２通信部２０２とを、ケーブルにより直接接続することにより、第１通信部１１０は、携帯端末２００と接続される。
【００４０】
第１取得部１１２は、第１通信部１１０に携帯端末２００が接続された場合に、現在地から避難場所までの経路（以下、「避難経路」という。）を示した地図のデータである地図データを携帯端末２００から取得し、取得した地図データを記憶部１０６に書き込む。なお、第１通信部１１０に携帯端末２００が接続された場合とは、第１通信部１１０に携帯端末２００が接続された時点を示すものではなく、第１通信部１１０に携帯端末２００が接続されている間のいずれかの時点を示すものである。以下の説明における、「ＡにＢが接続された場合」についても同様である。
【００４１】
携帯端末２００は、第２通信部２０２と、特定地点取得部２０４と、第２取得部２０６と、送信部２０８とを備える。
【００４２】
第２通信部２０２は、表示装置１００と接続され、表示装置１００とデータの送受信を行う。第２通信部２０２は、例えば、ネットワークアダプタ等である。上述のように、第１通信部１１０と第２通信部２０２とをケーブルで直接接続することにより、第２通信部２０２は、表示装置１００と接続される。
【００４３】
特定地点取得部２０４は、第２通信部２０２に表示装置１００が接続された場合に、携帯端末２００の現在地を取得する。特定地点取得部２０４は、例えば、ＧＰＳ受信機により構成され、現在地として、携帯端末２００の設置位置の緯度および経度を、ＧＰＳ衛星５００から取得する。
【００４４】
第２取得部２０６は、第２通信部２０２に表示装置１００が接続された場合に、特定地点取得部２０４が取得した現在地を、表示装置１００の現在地として地図サーバ３００に通知する。現在地の通知後、第２取得部２０６は、避難経路を示した地図データを、地図サーバ３００から取得する。
【００４５】
送信部２０８は、第２通信部２０２に表示装置１００が接続された場合に、第２取得部２０６が取得した地図データを、第２通信部２０２を介して表示装置１００に送信する。
【００４６】
＜２．処理＞
次に、以上のように構成された表示システム１０が実行する処理について具体例を挙げながら詳細に説明する。なお、表示システム１０が実行する処理は、表示装置１００に携帯端末２００が接続された場合に実行される地図データ更新処理と、緊急警報信号を受信した際に表示装置１００が実行する地図表示処理との２つの処理がある。以下、地図データ更新処理および地図表示処理の順で説明を行う。
【００４７】
＜２−１．地図データ更新処理＞
図３は、携帯端末２００が実行する処理のフローチャートである。図４は、携帯端末２００の処理を模式的に示した説明図である。
【００４８】
図３を参照して、第１通信部１１０と第２通信部２０２とがケーブルにより接続されることにより、第２通信部２０２に表示装置１００が接続されると（Ｓ１でＹＥＳ）、特定地点取得部２０４は、ＧＰＳ衛星５００から現在地を取得する（Ｓ２、図４の（１））。
【００４９】
第２取得部２０６は、特定地点取得部２０４が取得した現在地を、表示装置１００の現在地として、インターネット３０２を介して地図サーバ３００に通知する（Ｓ３、図４の（２））。現在地の通知を受けた地図サーバ３００は、避難経路を示した地図データを作成し、作成した地図データを、インターネット３０２を介して携帯端末２００に送信する。図５は、地図サーバ３００が作成した地図データが示す地図の一例を示す図である。地図には、現在地と避難場所とが文字列で示されており、避難経路が矢印で示されている。
【００５０】
第２取得部２０６は、地図サーバ３００から送信される地図データを、取得する（Ｓ３、図４の（３））。
【００５１】
送信部２０８は、第２取得部２０６が取得した地図データを、第２通信部２０２に接続されたケーブルを介して表示装置１００に送信する（Ｓ４、図４の（４））。
【００５２】
以上説明した処理を携帯端末２００が実行することで、表示装置１００に携帯端末２００が接続された場合に、最新の地図データが表示装置１００に送信されたことになる。
【００５３】
次に、表示装置１００が実行する処理を説明する。図６は、表示装置１００が実行する処理のフローチャートである。
【００５４】
第１通信部１１０と第２通信部２０２とがケーブルにより接続されることにより、第１通信部１１０に携帯端末２００が接続されると（Ｓ１１でＹＥＳ）、第１取得部１１２は、携帯端末２００から地図データを受信したか否かを判定する（Ｓ１２）。
【００５５】
携帯端末２００から地図データを受信している場合には（Ｓ１２でＹＥＳ）、第１取得部１１２は、記憶部１０６に地図データが保存されているか否かを判定する（Ｓ１３）。
【００５６】
記憶部１０６に地図データが保存されていない場合には（Ｓ１３でＮＯ）、第１取得部１１２は、携帯端末２００から受信した地図データを、記憶部１０６に書き込む（Ｓ１４）。
【００５７】
一方、記憶部１０６に地図データが保存されている場合には（Ｓ１３でＹＥＳ）、第１取得部１１２は、携帯端末２００から受信した地図データと、記憶部１０６に記憶されている地図データとを比較することにより、地図データが更新されているか否かを判断する（Ｓ１５）。例えば、第１取得部１１２は、携帯端末２００から受信した地図データに含まれる現在地、避難場所および避難経路と、記憶部１０６に記憶されている地図データに含まれる現在地、避難場所および避難経路とをそれぞれ比較し、いずれかが異なっていれば、地図データが更新されていると判断する。
【００５８】
地図データが更新されている場合には（Ｓ１５でＹＥＳ）、第１取得部１１２は、携帯端末２００から受信した地図データで、記憶部１０６に記憶されている地図データを上書きする（Ｓ１６）。
【００５９】
なお、何らかの通信障害等により携帯端末２００から地図データを受信していない場合や（Ｓ１２でＮＯ）、地図データが更新されていない場合には（Ｓ１５でＮＯ）、表示装置１００は、処理を終了する。
【００６０】
以上説明した処理を表示装置１００が実行することで、表示装置１００に携帯端末２００が接続された場合に、最新の地図データが表示装置１００の記憶部１０６に格納されたことになる。
【００６１】
図７は、以上説明した地図データ更新処理において、表示装置１００、携帯端末２００、地図サーバ３００およびＧＰＳ衛星５００の間でのデータの流れを示したシーケンス図である。
【００６２】
つまり、接続処理（図３のＳ１および図６のＳ１１）において、表示装置１００に携帯端末２００が接続されると、携帯端末２００は、現在地取得処理（図３のＳ２）において、ＧＰＳ衛星５００から現在地を取得する。地図データ取得処理（図３のＳ３）において、携帯端末２００は、地図サーバ３００に対して現在地を通知し、地図サーバ３００から地図データを取得する。地図データ送信処理（図３のＳ４）および地図データ受信処理（図６のＳ１２）において、携帯端末２００から表示装置１００に地図データが送信される。
【００６３】
＜２−２．地図表示処理＞
次に、表示装置１００が緊急警報信号を受信した際に、表示装置１００が実行する処理について説明する。
【００６４】
図８は、表示装置１００が実行する処理のフローチャートである。
【００６５】
検出部１０４が、受信部１０２が受信した放送信号から、緊急警報信号を検出した場合（Ｓ２１でＹＥＳ）、表示装置１００はスタンバイ状態にあるか否かを判定する（Ｓ２２）。スタンバイ状態とは、主電源はＯＮ状態ではあるが、表示装置１００の画面には何も表示されていない休止状態のことである。
【００６６】
表示装置１００がスタンバイ状態であれば（Ｓ２２でＹＥＳ）、表示装置１００は、自身を起動する（Ｓ２３）。つまり、表示装置１００は、スタンバイ状態から動作状態に移行させる。これにより、表示制御部１０８は、緊急警報放送の映像を画面に表示する。なお、表示装置１００がスタンバイ状態でない場合にも（Ｓ２２でＮＯ）、表示制御部１０８は、緊急警報放送の映像を画面に表示する。
【００６７】
表示制御部１０８は、記憶部１０６に記憶されている地図データを読み出し、読み出した地図データが示す地図を、緊急警報放送の映像に重畳して表示する（Ｓ２４）。図９は、このときの画面表示例を示す図である。例えば、図９（ａ）に示すように、表示装置１００の画面には「地震が発生しました。」などのテロップと共に、緊急警報放送の映像が表示される。この映像に重畳して、記憶部１０６に記憶されている地図データが示す地図６００が表示される。図９（ｂ）は、地図６００の拡大図である。図９（ｂ）に示すように、地図６００には、現在地と、避難場所と、避難経路とが示されている。ユーザは、地図６００を見ることにより、避難場所および避難経路を確認することができ、これにより安全に避難場所に非難することができる。
【００６８】
以上説明したように、実施の形態１に係る表示システム１０によると、携帯端末２００に表示装置１００が接続された場合に、表示装置１００は、携帯端末２００から地図データを取得することができる。ユーザは、携帯端末２００の充電や携帯端末２００に記憶されているコンテンツを表示装置１００の画面に表示するために、普段から、携帯端末２００と表示装置１００とを接続することが多い。このため、ユーザが地図データの取得を意識して携帯端末２００を表示装置１００に接続しなくとも、表示装置１００は自動的に最新の地図データを取得し、記憶部１０６に記憶することができる。また、緊急警報信号が検出された場合に、表示制御部１０８が記憶部１０６に記憶されている地図データが示す地図を画面に表示する。このため、古い避難場所が画面に表示されることはない。よって、避難経路を示した地図の更新を、簡便かつ低コストで行うことができ、これにより災害発生時にユーザを安全に避難させることができる。
【００６９】
なお、記憶部１０６には、最新の地図データのみを記憶することとしている。このため、記憶容量の小さな記憶部１０６であっても地図データを記憶することができる。
【００７０】
なお、表示装置１００の第１取得部１１２は、記憶部１０６に地図データが保存されていない場合か（図６のＳ１３でＮＯ）、または地図データが更新されている場合に（図６のＳ１５でＹＥＳ）、記憶部１０６に地図データを書き込むこととしている（図６のＳ１４、Ｓ１６）。しかし、地図データの保存の有無および地図データの更新の有無に係わらず、第１取得部１１２は、地図データを記憶部１０６に書き込むようにしても良い。この場合には、第１取得部１１２は、最新の地図データのみを記憶部１０６に記憶させる。
【００７１】
（実施の形態２）
次に、本発明の実施の形態２に係る表示システムについて説明する。実施の形態１では、表示装置１００の記憶部１０６に最新の地図データのみを記憶したが、実施の形態２では、記憶部１０６に、更新前と更新後の２枚の地図データを記憶する。以下では、これにより、地図上での更新箇所をユーザに通知することのできる表示システムについて説明する。
【００７２】
実施の形態２に係る表示システムの機能的な構成は、図２に示した実施の形態１に係る表示システム１０の機能的な構成を同様である。ただし、第１取得部１１２および表示制御部１０８の実行する処理が一部異なる。以下では、実施の形態１と異なる点を中心に説明し、実施の形態１と同じ点については、詳細な説明を繰り返さない。
【００７３】
以下では、表示システム１０が実行する処理について、具体例を挙げながら詳細に説明する。実施の形態１の説明と同様、地図データ更新処理および地図表示処理の順で説明を行う。
【００７４】
＜１．地図データ更新処理＞
携帯端末２００が実行する処理は、図３および図４を用いて説明した実施の形態１に係る携帯端末２００が実行する処理と同じである。このため、その詳細な説明は繰り返さない。
【００７５】
次に、表示装置１００が実行する処理を説明する。図１０は、表示装置１００が実行する処理のフローチャートである。
【００７６】
Ｓ１１〜Ｓ１５の処理は、図６に示した実施の形態１に係る表示装置１００が実行するＳ１１〜Ｓ１５の処理と同じであるため、その詳細な説明は繰り返さない。
【００７７】
地図データが更新されている場合には（Ｓ１５でＹＥＳ）、第１取得部１１２は、更新前の地図データと、更新後の地図データとを記憶部１０６に記憶させる（Ｓ１７）。つまり、第１取得部１１２は、記憶部１０６に記憶されている地図データの中で最新の地図データを、更新前の地図データとして残し、それ以外の地図データを記憶部１０６から削除する。その上で、第１取得部１１２は、携帯端末２００から受信した地図データを更新後の地図データとして記憶部１０６に書き込む。これにより、記憶部１０６には、更新前後の２枚の地図データが記憶される。例えば、避難場所が変更された場合には、図５に示すような更新前の避難経路を示した地図の地図データと、図１１に示すような更新後の避難経路を示した地図の地図データとが記憶部１０６に記憶される。
【００７８】
＜２．地図表示処理＞
次に、表示装置１００が緊急警報信号を受信した際に、表示装置１００が実行する処理について説明する。
【００７９】
図１２は、表示装置１００が実行する処理のフローチャートである。
【００８０】
Ｓ２１〜Ｓ２３の処理は、図１２に示した実施の形態１に係る表示装置１００が実行するＳ２１〜Ｓ２３の処理と同じであるため、その詳細な説明は繰り返さない。
【００８１】
表示制御部１０８が緊急警報放送の映像を画面に表示すると、表示制御部１０８は、記憶部１０６に記憶されている地図データが更新されてから所定期間経過しているか否かを判断する（Ｓ２５）。例えば、地図データに作成日時情報が付属している場合には、表示制御部１０８は、更新後の地図データの作成日時と、図示しないタイマー等から得られる現在日時とを比較する。表示制御部１０８は、作成日時から現在日時までの期間が所定期間よりも長い場合には、地図データが更新されてから所定期間経過していると判断し、作成日時から現在日時までの期間が所定期間以下の場合には、地図データが更新されてから所定期間経過していないと判断する。
【００８２】
地図データが更新されてから所定期間経過している場合には（Ｓ２５でＹＥＳ）、ユーザは、避難場所または避難経路が変更されたことを知っている可能性が高い。このため、表示制御部１０８は、更新後の地図データが示す地図を、通常の態様で緊急警報放送の映像に重畳して表示する（Ｓ２６）。つまり、図１１に示すような地図が画面に重畳表示される。
【００８３】
一方、地図データが更新されてから所定期間経過していない場合には、ユーザは地図データが更新されていることに気付いていない場合が多い。このため、表示制御部１０８は、更新後の地図データが示す地図を、地図上で更新された箇所を強調させた上で画面に表示する（Ｓ２７）。例えば、図１１に示す更新後の地図と、図５に示す更新前の地図とを比較すると、避難場所および避難経路が更新されている。このため、表示制御部１０８は、図１３に示すような、避難場所と避難経路を強調表示した更新後の地図を画面に表示する。ここでは、強調表示の例として、避難場所を太枠で囲み、避難経路を太線で示している。
【００８４】
以上説明したように、実施の形態２に係る表示システム１０によると、実施の形態１に係る表示システム１０の作用、効果に加え、以下の作用、効果を奏する。つまり、地図データが更新されてから所定期間経過するまでの間は、ユーザは、地図データが更新されていることに気付いていない場合が多い。このため、その間、表示制御部１０８が、地図上で更新された箇所を強調して表示することによって、ユーザに地図が更新されていることを気付かせることができる。よって、ユーザが誤って前の避難場所に避難したりするのを防ぐことができ、これにより災害発生時にユーザを安全に避難させることができる。
【００８５】
なお、実施の形態２では、避難場所が変更になった場合を例として更新箇所の強調表示処理（図１２のＳ２７）を説明したが、避難経路が変更になったり、現在地が変更になったりした場合であっても、更新箇所が強調表示される。
【００８６】
図１４〜図１６を用いて、避難経路が変更された場合の更新箇所の強調表示処理（図１２のＳ２７）について説明する。図１４は、更新前の地図を示し、図１５は、更新後の地図を示す。更新前の避難経路の途中に新しい建物が建設されたため、避難経路が変更されている。このため、表示制御部１０８は、図１６に示すような、新しく建設された建物の位置と変更後の避難経路とを強調表示した更新後の地図を画面に表示する。
【００８７】
また、図１７〜図１９を用いて、現在地と避難場所とが変更された場合の更新箇所の強調表示処理（図１２のＳ２７）について説明する。図１７は、更新前の地図を示し、図１８は、更新後の地図を示す。この例では、ユーザが引越しをしたことにより、現在地と避難場所とが変更され、それに伴い、避難経路も変更されている。このため、表示制御部１０８は、図１９に示すように、現在地、避難場所および避難経路を強調表示した更新後の地図を画面に表示する。
【００８８】
（実施の形態３）
次に、本発明の実施の形態３に係る表示システムについて説明する。実施の形態１および２では、地図データが更新されているか否かの判断を表示装置が行ったが、実施の形態３では、この判断を携帯端末が行う。以下、実施の形態１および２と異なる点を中心に説明する。
【００８９】
＜１．構成＞
図２０は、本発明の実施の形態３に係る表示システムの機能的な構成を示すブロック図である。
【００９０】
表示システム１０Ａは、表示装置１００Ａと、携帯端末２００Ａとを備える。
【００９１】
表示装置１００Ａは、図２に示した表示装置１００と同様、放送信号を受像する装置であり、例えば、テレビなどにより構成される。表示装置１００Ａは、表示装置１００の構成において、第１取得部１１２の代わりに、第１取得部１１２Ａを備え、さらに、第１送信部１１４を備える。
【００９２】
第１取得部１１２Ａは、第１通信部１１０に携帯端末２００Ａが接続された場合に、現在地から避難場所までの避難経路を示した地図のデータである地図データを携帯端末２００Ａから取得し、取得した地図データを記憶部１０６に書き込む。第１取得部１１２は、地図データが更新されているか否かの判定処理を行ったが、第１取得部１１２Ａは、この判定処理を行わない点で第１取得部１１２と異なる。第１取得部１１２Ａが実行する処理については、後述する。
【００９３】
第１送信部１１４は、第１通信部１１０に携帯端末２００Ａが接続されると、記憶部１０６から、記憶部１０６に記憶されている地図データの中で最新の地図データを読み出す。第１送信部１１４は、読み出した地図データを、第１通信部１１０を介して携帯端末２００Ａに送信する。
【００９４】
携帯端末２００Ａは、図２に示した携帯端末２００と同様、ユーザが携帯して使用する情報機器であり、例えば、スマートフォン、携帯電話機、タブレット端末などにより構成される。携帯端末２００Ａは、携帯端末２００の構成において、送信部２０８の代わりに第２送信部２０８Ａを備え、さらに、更新判定部２１０を備える。
【００９５】
更新判定部２１０は、第２通信部２０２に表示装置１００Ａが接続された場合に、表示装置１００Ａから表示装置１００Ａが記憶している地図データを取得する。更新判定部２１０は、表示装置１００Ａから取得した地図データと第２取得部２０６が地図サーバ３００から取得した地図データとを比較することにより、地図データが更新されているか否かを判定する。
【００９６】
第２送信部２０８Ａは、第２通信部２０２に表示装置１００Ａが接続された場合に、第２取得部２０６が取得した地図データを、第２通信部２０２を介して表示装置１００Ａに送信する。送信部２０８は、第２取得部２０６が取得した地図データを常に表示装置１００に送信していた。これに対し、第２送信部２０８Ａは、表示装置１００Ａに地図データが保存されていない場合または地図データが更新された場合に、地図データを表示装置１００Ａに送信するが、地図データが更新されていない場合には、地図データを表示装置１００Ａに送信しない。
【００９７】
＜２．処理＞
次に、以上のように構成された表示システム１０Ａが実行する処理について説明する。
【００９８】
表示システム１０Ａが実行する処理には、表示システム１０が実行する処理と同様、地図データ更新処理と、地図表示処理との２つの処理がある。地図表示処理は、図１２に示す実施の形態２に係る地図表示処理と同様である。このため、その詳細な説明はここでは繰り返さない。以下では、地図データ更新処理について説明する。
【００９９】
図２１は、携帯端末２００Ａが実行する処理のフローチャートである。
【０１００】
Ｓ１〜Ｓ３の処理は、図３に示した実施の形態１に係る携帯端末２００が実行するＳ１１〜Ｓ３の処理と同じであるため、その詳細な説明は繰り返さない。ここまでの処理で、携帯端末２００Ａは、地図サーバ３００から最新の地図データを取得していることになる。
【０１０１】
次に、更新判定部２１０は、第２通信部２０２を介して、第２通信部２０２に接続された表示装置１００Ａから地図データを取得する（Ｓ５）。つまり、表示装置１００Ａの第１通信部１１０に携帯端末２００Ａが接続されると、表示装置１００Ａの第１送信部１１４は、記憶部１０６から、記憶部１０６に記憶されている地図データの中で最新の地図データを読み出す。第１送信部１１４は、読み出した地図データを、第１通信部１１０を介して携帯端末２００Ａに送信する。更新判定部２１０は、第１送信部１１４から送信された地図データを、第２通信部２０２を介して受信する。なお、記憶部１０６に地図データが保存されていない場合には、第１送信部１１４は、地図データが保存されていないことを示す情報を携帯端末２００Ａに送信する。
【０１０２】
表示装置１００Ａに地図データが保存されていなければ、つまり、第１送信部１１４から地図データが保存されていないことを示す情報を受信していれば（Ｓ６でＮＯ）、第２送信部２０８Ａは、第２取得部２０６が地図サーバ３００から取得した最新の地図データを、第２通信部２０２を介して表示装置１００Ａに送信する（Ｓ７）。
【０１０３】
表示装置１００Ａに地図データが保存されている場合には（Ｓ６でＹＥＳ）、更新判定部２１０は、表示装置１００Ａから取得した地図データと第２取得部２０６が地図サーバ３００から取得した地図データとを比較することにより、地図データが更新されているか否かを判定する（Ｓ８）。例えば、更新判定部２１０は、表示装置１００Ａから取得した地図データに含まれる現在地、避難場所および避難経路と、第２取得部２０６が取得した地図データに含まれる現在地、避難場所および避難経路とをそれぞれ比較し、いずれかが異なっていれば、地図データが更新されていると判定する。
【０１０４】
地図データが更新されていると判定した場合には（Ｓ８でＹＥＳ）、第２送信部２０８Ａは、第２取得部２０６が地図サーバ３００から取得した最新の地図データを、第２通信部２０２を介して表示装置１００Ａに送信する（Ｓ７）。地図データが更新されていないと判定した場合には（Ｓ８でＮＯ）、携帯端末２００Ａは、処理を終了する。
【０１０５】
次に、表示装置１００Ａが実行する処理を説明する。図２２は、表示装置１００Ａが実行する処理のフローチャートである。
【０１０６】
第１通信部１１０と第２通信部２０２とがケーブルにより接続されることにより、第１通信部１１０に携帯端末２００Ａが接続されると（Ｓ１１でＹＥＳ）、第１送信部１１４は、記憶部１０６から、記憶部１０６に記憶されている地図データの中で最新の地図データを読み出す。第１送信部１１４は、読み出した地図データを、第１通信部１１０を介して携帯端末２００Ａに送信する（Ｓ１８）。
【０１０７】
次に、第１取得部１１２Ａは、携帯端末２００Ａから地図データを受信したか否かを判定する（Ｓ１２）。つまり、第１取得部１１２Ａは、地図データ送信処理（図２１のＳ７）において第２送信部２０８Ａから送信された地図データを受信しているか否かを判定する。
【０１０８】
地図データを受信している場合には（Ｓ１２でＹＥＳ）、第１取得部１１２Ａは、更新前の地図データと、更新後の地図データとを記憶部１０６に記憶させる（Ｓ１７）。つまり、第１取得部１１２Ａは、記憶部１０６に記憶されている地図データの中で最新の地図データを、更新前の地図データとして残し、それ以外の地図データを記憶部１０６から削除する。その上で、第１取得部１１２Ａは、携帯端末２００Ａから受信した地図データを更新後の地図データとして記憶部１０６に書き込む。これにより、記憶部１０６には、更新前後の２枚の地図データが記憶される。
【０１０９】
以上説明したように、実施の形態３に係る表示システム１０Ａによると、表示装置１００Ａに携帯端末２００Ａが接続された場合に、携帯端末２００Ａが地図サーバ３００から地図データを取得する。また、携帯端末２００Ａは、地図データが更新されている場合に表示装置１００Ａに地図データを送信する。ユーザは、携帯端末２００Ａの充電や携帯端末２００Ａに記憶されているコンテンツを表示装置１００Ａの画面に表示するために、普段から、携帯端末２００Ａと表示装置１００Ａとを接続することが多い。このため、ユーザが地図データの取得を意識して携帯端末２００Ａを表示装置１００Ａに接続しなくとも、携帯端末２００Ａは自動的に最新の地図データを取得し、取得した地図データを表示装置１００Ａに送信することができる。表示装置１００Ａは、災害発生時に最新の地図データが示す地図を画面に表示することができる。つまり、古い避難場所が画面に表示されることはない。よって、避難場所までの経路を示した地図の更新を、簡便かつ低コストで行うことができ、これにより災害発生時にユーザを安全に避難させることができる。
【０１１０】
以上、本発明の実施の形態に係る表示システムについて説明したが、本発明は、この実施の形態に限定されるものではない。
【０１１１】
例えば、実施の形態１〜３では、緊急警報信号の種類に区別を設けていないが、緊急警報信号には、地震に関する第１種緊急警報信号と、津波に関する第２種緊急警報信号とが存在する。このため、表示装置は、第１種緊急警報信号に対応する地図データと、第２種緊急警報信号に対応する地図データとを記憶し、第１種緊急警報信号を受信した場合と、第２種緊急警報信号を受信した場合とで、表示する地図を変えても良い。図２３は、第１種緊急警報信号を受信した場合に表示される地図の一例を示す。この地図では、例えば、学校を避難場所としている。これに対し、図２４は、第２種緊急警報信号を受信したが場合に表示される地図の一例を示す。この地図では、ビルを緊急避難場所としている。これは、津波が来ている場合には、ビルなどの高い場所に避難することが重要だからである。このように、緊急警報信号の種類に応じて表示する地図を変更することにより、災害の種類に応じてユーザを適切な避難場所に安全に非難させることができる。
【０１１２】
なお、緊急警報信号の種類は、これに限定されるものではなく、例えば、台風などの気象に関する緊急警報信号が存在しても良い。また、表示装置が、気象に関する緊急警報信号を検出した場合には、例えば、データ放送などから天気図を取得し、取得した天気図を緊急警報放送番組の表示時に重畳表示させても良い。
【０１１３】
また、実施の形態３では、表示装置１００Ａが更新前後の２枚の地図データを記憶することとしたが、実施の形態１と同様に、最新の地図データのみを記憶するようにしても良い。
【０１１４】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１１５】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１１６】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１１７】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１１８】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしても良い。また、これらの非一時的な記録媒体に記録されている上記デジタル信号であるとしても良い。
【０１１９】
また、本発明は、上記コンピュータプログラムまたは上記デジタル信号を、電気通信回線、無線または有線通信回線、インターネットを代表とするネットワーク、データ放送等を経由して伝送するものとしても良い。
【０１２０】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１２１】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１２２】
さらに、上記実施の形態及び上記変形例をそれぞれ組み合わせるとしても良い。
【産業上の利用可能性】
【０１２３】
本発明は、緊急警報放送を受像可能なテレビや、当該テレビに接続可能なスマートフォン、携帯電話機またはタブレット端末等の携帯端末等に適用できる。
【符号の説明】
【０１２４】
１０、１０Ａ  表示システム
１００、１００Ａ  表示装置
１０２  受信部
１０４  検出部
１０６  記憶部
１０８  表示制御部
１１０  第１通信部
１１２、１１２Ａ  第１取得部
１１４  第１送信部
２００、２００Ａ  携帯端末
２０２  第２通信部
２０４  特定地点取得部
２０６  第２取得部
２０８  送信部
２０８Ａ  第２送信部
２１０  更新判定部
３００  地図サーバ
３０２  インターネット
４００  放送局
４０２  放送信号
５００  ＧＰＳ衛星
６００  地図
【図１】
2014081730.tif 000003
【図２】
2014081730.tif 000004
【図３】
2014081730.tif 000005
【図４】
2014081730.tif 000006
【図５】
2014081730.tif 000007
【図６】
2014081730.tif 000008
【図７】
2014081730.tif 000009
【図８】
2014081730.tif 000010
【図９】
2014081730.tif 000011
【図１０】
2014081730.tif 000012
【図１１】
2014081730.tif 000013
【図１２】
2014081730.tif 000014
【図１３】
2014081730.tif 000015
【図１４】
2014081730.tif 000016
【図１５】
2014081730.tif 000017
【図１６】
2014081730.tif 000018
【図１７】
2014081730.tif 000019
【図１８】
2014081730.tif 000020
【図１９】
2014081730.tif 000021
【図２０】
2014081730.tif 000022
【図２１】
2014081730.tif 000023
【図２２】
2014081730.tif 000024
【図２３】
2014081730.tif 000025
【図２４】
2014081730.tif 000026